(57)【要約】【解決手段】大地Ａに掘削された掘削部ａ１に、被接地体４に加わる異常高電圧を接地する被接地体用接地導体部材Ｃと避雷針Ｌの異常高電圧を接地する避雷針用接地導体２とを、別個に設置した接地装置に関するものである。【構成】大地に掘削された掘削部に、被接地体に加わる異常高電圧を接地する被接地体用接地導体部材と避雷針の異常高電圧を接地する避雷針用接地導体とを、別個に設置したので、被接地体に適した被接地体用接地導体部材及び避雷針用接地導体とすることができ、被接地体に合致した接地が可能になるとともに、低接地抵抗の接地装置を得ることができる。【選択図】図３
2005237069.tif 000002
【特許請求の範囲】
【請求項１】
大地に掘削された掘削部に、被接地体に加わる異常高電圧を接地する被接地体用接地導体部材と避雷針の異常高電圧を接地する避雷針用接地導体とを、別個に設置したことを特徴とする接地装置。
【請求項２】
前記被接地体用接地導体部材と前記避雷針用接地導体とを共通接続したことを特徴とする請求項１に記載の接地装置。
【請求項３】
少なくとも、前記避雷針用接地導体が、銅材又は鉄材を主材としたものであることを特徴とする請求項１又は請求項２に記載の接地装置。
【請求項４】
少なくとも、前記避雷針用接地導体を、耐食性に優れた導電被覆により被覆したことを特徴とする請求項１〜請求項３のいずれか１項に記載の接地装置。
【発明の詳細な説明】
【技術分野】
【０００１】
本発明は、建造物や電気機器等の接地対象物（以下、被接地体という。）を、雷等の高電圧のサージから保護するための接地装置に関するものである。
【背景技術】
【０００２】
従来、被接地体の接地装置を構築する場合、被接地体の周辺に、大地の土壌を掘削して掘削部を設け、該掘削部に、銅材を環状に埋設して環状の接地装置を構築するか、或いは、被接地体の基礎部分に、コンクリートを介して、銅材を網状に配置して網状の接地装置を構築するかして、建造物の接地と避雷針の接地を一括に同一接地していた。そして、環状の接地装置及び網状の接地装置に用いられる接地導体として、裸銅材を主材とするものであった。一例として、このような接地装置は、特許文献１に開示されている。
【特許文献１】特開平１０−６４６５０号公報
【発明の開示】
【発明が解決しようとする課題】
【０００３】
しかしながら、上述した掘削部に銅材を埋設し接地導体とした従来の接地装置においては、銅材からなる接地導体が、大地に直接に埋設されているために、土壌の大地抵抗率、酸性度及び塩分濃度等の影響により、接地導体の腐食が促進され、接地導体が断線等を起こし、接地装置の初期の設計寿命が短くなるという問題があった。
【０００４】
また、銅材からなる接地導体を、コンクリートやコンクリートにカーボンを混合した導電コンクリートと一体化した接地導体においては、大地に直接埋設した接地導体に比べて、腐食による断線等が生じることは少なく、且つ、寿命も長くなるが、接地導体が、コンクリートや導電コンクリートにより、完全に被覆されていない場合、土壌の比抵抗の変化が大きい電流の入出部において、電池作用によるガルバニック現象により、接地導体の腐食が促進され、断線を起こすという問題があった。
【０００５】
更に、大地に、直流電流が流れている場所では、腐食が促進されることも確認されており、この点からも、従来の接地装置は、問題を有していた。
【０００６】
更にまた、近年、日本工業規格の接地に関する規格変更がなされ、この規格を満足しつつ、且つ、接地導体の腐食を防止する接地装置の開発が求められていた。
【０００７】
本発明の目的は、上述した従来の接地装置が有する課題を解決することにある。
【課題を解決するための手段】
【０００８】
本発明の目的は、上述した従来の目的を達成するために、接地装置において、第１には、大地に掘削された掘削部に、被接地体に加わる異常高電圧を接地する被接地体用接地導体部材と避雷針の異常高電圧を接地する避雷針用接地導体とを、別個に設置したものであり、第２には、大地に掘削された掘削部に、被接地体に加わる異常高電圧を接地する被接地体用接地導体部材と避雷針の異常高電圧を接地する避雷針用接地導体とを、別個に設置するとともに、前記被接地体用接地導体部材と前記避雷針用接地導体とを共通接続したものであり、第３には、大地に掘削した掘削部に、被接地体に加わる異常高電圧を接地する被接地体用接地導体部材と避雷針の異常高電圧を接地する避雷針用接地導体とを、別個に設置するとともに、少なくとも、前記避雷針用接地導体が、銅材又は鉄材を主材としたものであり、第４には、大地に掘削された掘削部に、被接地体に加わる異常高電圧を接地する被接地体用接地導体部材と避雷針の異常高電圧を接地する避雷針用接地導体とを、別個に設置するとともに、少なくとも、前記避雷針用接地導体を、耐食性に優れた導電被覆により被覆したものである。
【発明の効果】
【０００９】
本発明は、上述した構成を有しているので、以下に記載する効果を奏することができる。
【００１０】
大地に掘削された掘削部に、被接地体に加わる異常高電圧を接地する被接地体用接地導体部材と避雷針の異常高電圧を接地する避雷針用接地導体とを、別個に設置したので、被接地体に適した被接地体用接地導体部材及び避雷針用接地導体とすることができ、被接地体に合致した接地が可能になるとともに、低接地抵抗の接地装置を得ることができる。
【００１１】
大地に掘削された掘削部に、被接地体に加わる異常高電圧を接地する被接地体用接地導体部材と避雷針の異常高電圧を接地する避雷針用接地導体とを、別個に設置するとともに、前記被接地体用接地導体部材と前記避雷針用接地導体とを共通接続したので、被接地体用接地導体部材により、被接地体に加わる電圧を安全に低く抑えられるとともに、短時間大電流のサージ性電流が発生する地絡事故の大電流等を、被接地体用接地導体部材と避雷針用接地導体との相互接地により、速やかに処理することができる。
【００１２】
大地に掘削した掘削部に、被接地体に加わる異常高電圧を接地する被接地体用接地導体部材と避雷針の異常高電圧を接地する避雷針用接地導体とを、別個に設置するとともに、少なくとも、前記避雷針用接地導体が、銅材又は鉄材を主材としたので、避雷針接地の規格を満足させながら、且つ、被接地体用接地導体部材により被接地体を保護できるとともに、被接地体用接地導体部材と避雷針用接地導体との相互接地により、短時間大電流のサージ性電流を、速やかに安全に処理することができる。
【００１３】
大地に掘削された掘削部に、被接地体に加わる異常高電圧を接地する被接地体用接地導体部材と避雷針の異常高電圧を接地する避雷針用接地導体とを、別個に設置するとともに、少なくとも、前記避雷針用接地導体を、耐食性に優れた導電被覆により被覆したので、大地に埋設されても、避雷針用接地導体が腐食するようなことがなく、且つ、大地と良好な電気的接続を有する接地装置を得ることができる。
【実施例】
【００１４】
以下に、本発明の実施例について説明するが、本発明の趣旨を越えない限り、何ら実施例に限定されるものではない。
【００１５】
１は、ステンレス材やチタン材等の大地土壌等による腐食し難い、耐食性に優れた金属材からなる帯材であり、本実施例においては、チタンからなる金属材が使用されている。この帯材１は、一例として、板材のチタン材を、所定の幅及び長さに加工することにより形成される。また、帯材１には、長手方向に沿って、所定の間隔で、透孔１ａが穿設されている。
【００１６】
２は、銅材或いは鉄材を主材とする線状の金属導体２ａの外周部を、合成樹脂にカーボン等を配合した導電被覆２ｂで被覆した避雷針用接地導体であり、大地Ａに掘削された掘削部ａ１に埋設される。なお、避雷針用接地導体２を構成する金属導体２ａの断面積は、略５０ｍｍ2 以上であることが好ましい。また、避雷針用接地導体２は、避雷針用接地導体２の外周面にカーボン粒を設置するとともに、カーボン粒がこぼれ落ちない程度の布帛や網材で覆うようにしたものであってもよい。
【００１７】
大地Ａに予め掘削された掘削部ａ１内に、上述した帯材１を、格子状に配置するとともに、帯材１の交差部において、帯材１に穿設された透孔１ａに、チタン材からなるボルトＢを挿通し、ボルトＢに、同じくチタン材からなるナットを螺合させることにより、掘削部ａ１内に、帯材１が、格子状に配置された、所定の広さを有する被接地体用接地導体部材Ｃを形成する。
【００１８】
次に、大地Ａに掘削された掘削部ａ１内に、帯材１を格子状に配置することにより構成された被接地体用接地導体部材Ｃに近接して、上述した、所定の長さの避雷針用接地導体２を配置するとともに、避雷針用接地導体２に両端部に、プラスチック等からなる防水性を有するキャップ３を挿着して、避雷針用接地導体２に両端部に防水処理を施す。その後、中央部に位置する避雷針用接地導体２の導電被覆２ｂを剥離して、銅材或いは鉄材を主材とする金属導体２ａを露出させる。
【００１９】
４は、建造物であり、建造物４の適当な場所には、避雷針Ｌが設置されており、避雷針Ｌには、銅材等の金属導体５ａと金属導体５ａの外周部を被覆する外被５ｂとからなる引下げ導体５の金属導体５ａの一端が接続されている。
【００２０】
上述したように、避雷針用接地導体２は、その略中央部において、導電被覆２ｂを剥離することにより、金属導体２ａが露出しており、露出された金属導体２ａには、上述した引下げ導体５の金属導体５ａの他端５ａ’が、接続部Ｄ１において接続されている。
【００２１】
また、大地Ａに掘削された掘削部ａ１内に位置する引下げ導体５には、外被５ｂを剥離することにより、金属導体５ａが露出されている。
【００２２】
６は、銅材等の金属導体６ａと金属導体６ａの外周部を被覆する外被６ｂとからなる接続導体であり、接続導体６の両端部においては、外被６ｂを剥離することにより、金属導体６ａが露出している。
【００２３】
上述した接続導体６の露出した一方の金属導体６ａは、上述した大地Ａに掘削された掘削部ａ１内に位置する引下げ導体５の露出した金属導体５ａに、接続部Ｄ２において接続されている。また、接続導体６の露出したもう一方の金属導体６ａは、被接地体用接地導体部材Ｃを構成する適当な帯材１に、接続部Ｄ３において接続されている。
【００２４】
７は、銅材等の金属導体７ａと金属導体７ａの外周部を被覆する外被７ｂとからなる被接地導体であり、被接地導体７の一端の露出された金属導体７ａは、被接地体用接地導体部材Ｃを構成する適当な帯材１に、接続部Ｄ４において接続されており、被接地導体７の他端の露出された金属導体７ａは、建造物４等の被接地体に接続されている。
【００２５】
なお、上述した避雷針用接地導体２と引下げ導体５との接続部Ｄ１及び引下げ導体５と接続導体６との接続部Ｄ２は、公知の適当な防水性を有する接続ボックス８内に収容されている。また、接続導体６と被接地体用接地導体部材Ｃを構成する適当な帯材１との接続部Ｄ３及び被接地体に接続された被接地導体７と被接地体用接地導体部材Ｃを構成する適当な帯材１との接続部Ｄ４は、公知の適当な防水性を有するチューブ９により覆われている。
【００２６】
上述したようにして設置された被接地体用接地導体部材Ｃは、掘削部ａ１内に、生コンクリートや生コンクリートにカーボンを混合した導電コンクリートを流し込んで舗装することにより、コンクリートや導電コンクリートと一体化されるように構成されている。その後、大地Ａに掘削された掘削部ａ１は、土壌で埋め戻される。このようにして、接地装置が構築されることになる。
【００２７】
建造物４に設置された避雷針Ｌが受雷すると、雷電流は、引下げ導体５を通じて、被接地体用接地導体部材Ｃに流れて大地に吸収される。避雷針用接地導体２は、その中央部に位置する接続部Ｄ１おいて、引下げ導体５と接続されているので、雷電流は、接続部Ｄ１から、逆方向の相対する２方向に流れて、大地に吸収されることになるので、雷電流が、速やかに、大地Ａに吸収され、従って、大地電位の上昇が抑制された接地装置を得ることができる。
【００２８】
また、導電被覆２ｂを有する避雷針用接地導体２は、接地抵抗を小さくするとともに、避雷針用接地導体２の腐食が防止できるので、避雷針用接地導体２の腐食による断線等を防止することができ、ひいては、接地装置の寿命の向上と信頼性が図られる。
【００２９】
更に、上述したように、チタン材からなる帯材１を、格子状に配置するとともに、帯材１の交差部において、帯材１に穿設された透孔１ａに、チタン材からなるボルトＢを挿通し、ボルトＢに、同じくチタン材からなるナットを螺合させることにより被接地体用接地導体部材Ｃが構成されているので、加工性に劣るチタン材による被接地体用接地導体部材Ｃの構築が容易であり、且つ、チタンの加工を最小限に留めて、腐食の無い長寿命の接地装置を得ることができる。
【００３０】
更にまた、避雷針用接地導体２として、銅材を使用したので、日本工業規格（ＪＩＳ規格）を満足することができ、且つ、金属導体２ａの外周部を、合成樹脂にカーボン等を配合した導電被覆２ｂで被覆したことにより、避雷針用接地導体２の金属導体２ａ２が、直接、大地Ａに接触しないので、腐食による金属導体２ａ２の断線を回避することができ、従って、長寿命で安定した抵抗の接地装置を得ることができる。
【００３１】
なお更に、被接地体用接地導体部材Ｃと避雷針用接地導体２とを、接続導体６を介して接続したので、被接地体用接地導体部材Ｃと避雷針用接地導体２との相互作用により、異常高電圧を、迅速に安全に処理することができ、従って、電位上昇を低く抑えることができる。
【００３２】
更には、導電性導電被覆２ｂで被覆された避雷針用接地導体２に、導電コンクリートを配設した場合には、避雷針用接地導体２の銅材或いは鉄材を主材とする線状の金属導体２ａの腐食性を、更に改善することができる。
【００３３】
被接地体用接地導体部材Ｃを構成する帯材１としては、チタン材に限定されることなく、ステンレス材を使用することもできる。また、避雷針用接地導体２を構成する金属導体２ａとしては、銅材に限定されることなく、鉄材であってもよい。
【００３４】
引下げ導体５は、接続部Ｄ２を経て、接続導体６を介して、被接地体用接地導体部材Ｃを構成する適当な帯材１に接続され、また、引下げ導体５は、接続部Ｄ２を経て、避雷針用接地導体２に接続されているが、接続部Ｄ２を省略し、直接、引下げ導体５を、接続部Ｄ１において、避雷針用接地導体２に接続するとともに、この接続部Ｄ１と被接地導体７が接続されている接続部Ｄ４とを接続してもよい。
【００３５】
上述したように、被接地体用接地導体部材Ｃの材質として、チタン材やステンレス材を用いるとともに、チタン材やステンレス材を帯材１に形成し、帯材１を、格子状に配置するとともに、同じく、チタン材やステンレス材から形成されたボルトＢ及びナットを用いて組み立てることにより、被接地体用接地導体部材Ｃを構築するように構成したので、腐食の発生が無い、且つ、信頼性の高い接地装置を得ることができる。
【００３６】
また、上述したように、銅材或いは鉄材を主材とする金属導体２ａを有する避雷針用接地導体２を使用したので、日本工業規格の基準を確保しながら、更に、耐食に優れ、且つ、大地電位の上昇が低く抑えられた接地装置を得ることができる。
【図面の簡単な説明】
【００３７】
【図１】図１は、建造物に設置された状態の本発明の接地装置の概略斜視図である。
【図２】図２は、建造物に設置された状態の本発明の接地装置の概略側面図である。
【図３】図３は、本発明の接地装置の部分拡大平面図である。
【符号の説明】
【００３８】
Ａ・・・・・・・・・・大地
Ｃ・・・・・・・・・・被接地体用接地導体部材
Ｄ１〜Ｄ４・・・・・・接続部
１・・・・・・・・・・帯材
２・・・・・・・・・・避雷針用接地導体
４・・・・・・・・・・建造物
５・・・・・・・・・・引下げ導体
６・・・・・・・・・・接続導体
７・・・・・・・・・・被接地導体
【図１】
2005237069.tif 000003
【図２】
2005237069.tif 000004
【図３】
2005237069.tif 000005